(57)【要約】      （修正有）【課題】多ファイバリボンケーブルを接続することができる光コネクタを提供する。【解決手段】光コネクタ２００は、弾性部材２０を有するハウジング１０及び光フェルール３０を含む。光フェルールは、複数の光導波路５０を受け入れ固定する複数の取り付け領域４０と、光導波路から受光される光の方向を変化させる光方向転換側面６０と、を含む。光コネクタは、光導波路が取り付け領域のいずれかに受け入れられて固定され、光導波路からの光が光路に沿って伝播するときに、弾性部材は光路内にないように構成される。光フェルールが嵌合光フェルールと嵌合するときに、弾性部材は弾性的に変形されて、光フェルールを嵌合光フェルールに対して弾性的に押し付ける。【選択図】図１
2020166267.tif 000002
【特許請求の範囲】
【請求項１】
光コネクタであって、
弾性部材を備えるハウジングと、
前記ハウジングに取り付けられた光フェルールであって、
複数の光導波路を受け入れ固定する複数の取り付け領域と、
取り付け領域内に受け入れられ固定された光導波路から受光される光の方向を変化させる光方向転換側面と、を備える、光フェルールと、を備え、光導波路が前記取り付け領域のいずれかに受け入れられて固定され、前記光導波路からの光が光路に沿って伝播するときに、前記弾性部材は、前記光路内になく、かつ
前記光コネクタが、光嵌合コネクタに取り付けられた光嵌合フェルールを備える前記光嵌合コネクタと嵌合し、前記光フェルールが、前記嵌合光フェルールと嵌合するときに、前記弾性部材は弾性的に変形されて、前記光フェルールを前記嵌合光フェルールに対して弾性的に押し付ける、光コネクタ。
【請求項２】
前記弾性的に変形された弾性部材が、前記光フェルールの嵌合方向と斜角をなす第１の方向に沿って、前記光フェルールに前記弾性力を付与する、請求項１に記載の光コネクタ。
【請求項３】
光コネクタであって、
弾性部材と、
光フェルールであって、
光導波路を受け入れ固定する取り付け領域と、
前記取り付け領域内に受け入れられ固定された光導波路から受光される光の方向を変化させる光方向転換側面であって、前記光は、前記弾性部材と交差しない光路に沿って伝播する、光方向転換側面と、を含む、光フェルールと、を備え、
前記光フェルールが嵌合方向に沿って光嵌合フェルールと嵌合するときに、前記弾性部材は弾性的に変形されて、前記嵌合方向と斜角をなす第１の方向に沿って、前記光フェルールを前記嵌合光フェルールに対して付勢する弾性力を生成し、前記斜角は約２０度〜約７０度である、光コネクタ。
【請求項４】
光コネクタであって、
嵌合方向に沿って嵌合光フェルールと嵌合し、かつ光路に沿って光導波路から受光される光を方向付ける光フェルールであって、前記光路の少なくとも一部は、前記嵌合方向とは異なる第１の方向に沿う、光フェルールと、
前記嵌合及び第１の方向とは異なる第２の方向に沿って、前記光フェルールを前記嵌合光フェルールに対して弾性的に押し付けるばね部材と、を備える、光コネクタ。
【請求項５】
光フェルールであって、
複数の光導波路を受け入れ固定する複数の取り付け領域と、
取り付け領域内に受け入れられ、固定された光導波路から受光される光の方向を少なくとも４５度変化させる光方向転換側面と、
前記光フェルールの対向しているそれぞれの第１の側面及び第２の側面と一体に形成され、前記光フェルールの対向しているそれぞれの第１の側面及び第２の側面から、前記光フェルールの前記それぞれの第１の側面及び第２の側面並びに前記嵌合方向に実質的に垂直な方向に延びる、対向している第１のアーム及び第２のアームと、を備える、光フェルール。
【発明の詳細な説明】
【技術分野】
【０００１】
本開示は、概して、光コネクタアセンブリ及び光フェルールに関する。
【背景技術】
【０００２】
光コネクタは、電気通信ネットワーク、ローカルエリアネットワーク、データセンターリンク、及びコンピュータ装置の内部リンク、を含む様々なアプリケーションにおける光通信に使用することができる。また、光通信は、ラップトップコンピュータ、及び携帯電話などの、より小さい消費者用電子機器の内部用途へと拡張することができる。光モジュール及び光ファイバデバイスの小型化により、光ファイバの輻輳が、光インタフェース及び接続分配点で発生する場合がある。
【発明の概要】
【０００３】
本明細書に記載される様々な態様及び実施形態は、光コネクタ及び光フェルールに関する。
【０００４】
いくつかの実施形態は、弾性部材を有するハウジングを含む光コネクタを含む。光コネクタは、ハウジングに取り付けられた光フェルールを含む。光フェルールは、複数の光導波路を受け入れ固定する複数の取り付け領域を含む。光フェルールは、取り付け領域内に受け入れられ固定された光導波路から受光される光の方向を変化させる光方向転換側面を更に含む。光コネクタは、光導波路が取り付け領域のいずれかに受け入れられて固定され、光導波路からの光が光路に沿って伝播するときに、弾性部材は、光路内に無いように構成される。更に、光コネクタが、光嵌合コネクタに取り付けられた光嵌合フェルールを備える光嵌合コネクタと嵌合し、光フェルールが、嵌合光フェルール（ferule）と嵌合すると、弾性部材は弾性的に変形されて、光フェルールを嵌合光フェルールに対して弾性的に押し付ける。
【０００５】
いくつかの実施形態では、光コネクタは、弾性部材と、光フェルールと、を含む。光フェルールは、光導波路を受け入れ固定する取り付け領域を含む。光フェルールは、取り付け領域内に受け入れられ、固定された光導波路から受光される光の方向を変化させる光方向転換側面を更に含む。光コネクタは、光路に沿って伝播する光が弾性部材と交差しないように構成される。光フェルールが嵌合方向に沿って光嵌合フェルールと嵌合すると、弾性部材は弾性的に変形されて、嵌合方向と斜角をなす第１の方向に沿って、光フェルールを嵌合光フェルールに対して付勢する弾性力を生成する。
【０００６】
本開示の他の態様は、嵌合方向に沿って嵌合光フェルールと嵌合し、かつ光路に沿って光導波路から受光される光を方向付ける、光フェルールを含む光コネクタに関する。光コネクタは、第１の方向に沿った光路の少なくとも一部分が嵌合方向とは異なるように構成される。光コネクタは、嵌合方向及び第１の方向とは異なる第２の方向に沿って、光フェルールを嵌合光フェルールに対して弾性的に押し付けるばね部材を含む。
【０００７】
本開示の別の態様は、複数の光導波路を受け入れ固定する複数の取り付け領域を含む光フェルールに関する。光フェルールは、取り付け領域内に受け入れられ、固定された光導波路から受光される光の方向を少なくとも４５度変化させる光方向転換側面を更に含む。光フェルールは、光フェルールの対向しているそれぞれの第１の側面及び第２の側面と一体に形成され、光フェルールの対向するそれぞれの第１の側面及び第２の側面から、光フェルールのそれぞれの第１の側面及び第２の側面並びに嵌合方向に実質的に垂直な方向に延びる、対向している第１のアーム及び第２のアームを含む。
【０００８】
本出願の上記及び他の態様は、以下の「発明を実施するための形態」から明らかになるであろう。しかしながら、上記概要は、いかなる場合も請求の主題の限定として解釈されるべきではなく、そのような主題は、添付の特許請求の範囲によってのみ規定される。
【図面の簡単な説明】
【０００９】
本開示の様々な態様は、添付の図面を参照してより詳細に論じられる。
【図１】本開示のいくつかの実施形態に係る、光フェルールを有する光コネクタを概略的に示す。
【図２】本開示の特定の態様による、光嵌合フェルールと嵌合された光フェルールの側面図を概略的に示す。
【図３】本開示の特定の態様による、光コネクタのハウジングと接触している光フェルールを概略的に示す。
【図４Ａ】本開示による、光フェルールの異なる実施形態を概略的に示す。
【図４Ｂ】本開示による、光フェルールの異なる実施形態を概略的に示す。
【図４Ｃ】本開示による、光フェルールの異なる実施形態を概略的に示す。
【００１０】
これらの図は、必ずしも一定の比率の縮尺ではない。図面で使用されている同様の番号は同様の構成要素を示す。しかし、特定の図中のある構成要素を示す数字の使用は、同じ数字を付した別の図中の構成要素を限定することを意図するものではないことが理解されよう。
【発明を実施するための形態】
【００１１】
以下の発明を実施するための形態において、本明細書の一部を構成する添付の図面を参照する。これらの図面には、いくつかの具体的な実施形態が例として示されている。本開示の範囲又は趣旨から逸脱することなく、他の実施形態が想定され、実施され得ることを理解されたい。
【００１２】
光コネクタを使用して、例えば、多ファイバリボンケーブルを接続することができる。リボンケーブルは、典型的には、プラスチックリボン内に並んで組織化及び成形された複数の光ファイバを含む。光コネクタは、リボンケーブルから光ファイバを受容するように構成された光フェルールを含んでもよい。同じファイバ間隔を有する２つの嵌合光フェルールは、それぞれのフェルールのファイバの端部が互いに実質的に同軸に整列され、それによって多ファイバ接続を形成するように、当接関係に配置されてもよい。光フェルールの嵌合は、フェルールに直接又は間接的に付与することができる、一定の順方向及び垂直方向の力を利用することができる。多ファイバリボンの曲げを使用して、フェルールを互いに嵌合させたままにするために、所望の順方向及び垂直方向の力を提供することができる。しかしながら、ファイバの曲げにより、ファイバ自体において、及びファイバとフェルールとの間の結合において、時間の経過とともに応力を生じる場合がある。本開示のいくつかの実施形態では、光フェルール及び／又は光コネクタは、所望の力を生成するために光ファイバの曲げを使用することなく、所望の順方向及び垂直方向の力を実質的に生成する特徴を含む。
【００１３】
拡大ビーム光コネクタを含む光コネクタは、成型された一体状の構造体として形成されてもよい光フェルール（本明細書では「光結合ユニット」としても既知）を含むことができる。一体状の光フェルールは、導波路を受け入れ固定するための１つ以上の要素と、導波路からの光に作用を及ぼすための１つ以上の要素と、１つ以上の位置合わせ特徴とを含む単一部品構造体である。本明細書に記載の光コネクタは、ハウジング内に配置された１つ以上の光ケーブルアセンブリを含む。光ケーブルアセンブリは、１つ以上の光フェルールに取り付けられた１つの導波路又は複数の平行導波路（典型的には４つ、８つ又は１２個以上の平行導波路）のアレイを含んでもよい。
【００１４】
図１及び図２に示すいくつかの実施形態では、光コネクタ２００は、嵌合方向９１に沿って嵌合光フェルール３１０と嵌合するための光フェルール３０を含む。一部の態様では、光フェルール３０、３１０は、一体構造を有してもよい。他の態様では、光フェルールは、別個に形成され、接着されるか、又は別の方法で一緒に締結された部品を含むフェルールであってもよい。フェルールは、ポリマー又はセラミックを含む任意の好適な材料で作製されてもよい。フェルールは、フェルールと嵌合フェルールとが嵌合するときに、２つのフェルールを誘導して、又はそれらの誘導を補助して整列させる１つ以上の要素を含んでもよい。
【００１５】
いくつかの実施形態では、光フェルール３０は、光路８０に沿って光導波路５０から受光された光７０を方向付ける。光路の少なくとも一部８１は、嵌合方向９１とは異なる第１の方向（ｚ軸）に沿っている。光フェルール３０は、嵌合方向９１及び第１の方向（ｚ軸）とは異なる第２の方向９０に沿って、光フェルール３０を嵌合光フェルール３１０に対して弾性的に押し付ける弾性部材、例えば、ばね部材２０を含む。
【００１６】
図１及び図２に示すいくつかの実施形態では、光コネクタは、ハウジング１０と、ハウジング１０に取り付けられた光フェルール３０と、を含む。ハウジング１０は、例えば、埃が光接続に干渉することを防止するように機能することができる。ハウジングは、フェルールの確実な接触を維持するための保持力、並びにコネクタを嵌合及び嵌合解除するためのラッチ及び解放機構を与えることができる。更に、ハウジングは、近くにあるものに対する安全上の問題となり得る迷光の出力から、光フェルールを保護することができる。いくつかの実施形態では、ハウジングは、偶発的に開くことを防止するために、ラッチ機構を有することができる。いくつかの実施形態では、ハウジングは、２つのコネクタを嵌合するアクションによって開かれ得るドア機構を有することができる。ハウジングは、光フェルールを保持及び固定するため、並びに光コネクタを嵌合光コネクタに嵌合するための任意の好適な構成を有することができる。
【００１７】
光コネクタは、ハウジング１０内に配設された光ケーブルを含む。各光ケーブルは、１つ以上の光導波路５０を有する導波路アレイを含み得る。光導波路という用語は、本明細書では、信号光を伝播させる光学素子を指すために使用される。光導波路は、クラッドを有する少なくとも１つのコアを有してもよく、それらコア及びクラッドは、例えば内部全反射によって、光を伝播させるように構成される。光導波路は、例えば、基材上に配置された、単一モード若しくはマルチモード導波路、単一コア光ファイバ、マルチコア光ファイバ、ポリマー導波路、又は平面導波路とすることができる。導波路は、任意の好適な断面形状、例えば、円形、正方形、矩形などを有してもよい。導波路アレイ内の個々の導波路は、保護緩衝コーティングを有するガラスから作製された光ファイバであってもよい。導波路アレイの複数の平行導波路は、ジャケットによって取り囲まれてもよい。
【００１８】
一実施形態によれば、光フェルール３０は、複数の光導波路５０を受け入れ固定する複数の取り付け領域４０を含む。各取り付け領域４０は、図１に示すように、第１の方向（ｘ軸）に沿って延びる。いくつかの実施形態による光導波路５０は、光ファイバであってもよく、それらが恒久的に取り付けられる取り付け領域４０内に設けられた溝内で整列されてもよい。取り付け点では、導波路５０のファイバ緩衝コーティング及び保護ジャケット（存在する場合）が剥ぎ取られることにより、裸の光ファイバのみを、取り付け領域４０内の溝に位置合わせして配置し、溝に恒久的に付着させることが可能となる。フェルール３０はまた、取り付け領域内に受け入れられ固定された光導波路５０から受光される光７０の方向を変化させる光方向転換側面６０を含む。一部の態様では、光方向転換側面６０は、取り付け領域４０内に受け入れられ固定された光導波路５０から受光される光７０の方向を少なくとも４５度、又は少なくとも約６０度変化させるように構成される。いくつかの実施形態では、フェルール３０は、フェルール３０に取り付けられた導波路アレイにおける各光導波路５０に対して少なくとも１つ、光方向転換側面６０内に光方向転換要素６５の配列を含む。光導波路５０の出射端は、光導波路アレイにおける各光導波路５０から出た光７０を、フェルール３０の光方向転換側面６０における対応する光方向転換要素６５の入力側又は入力面へ方向付けることができるように置かれる。例えば、様々な実施形態では、光方向転換側面６０における各光方向転換要素６５は、プリズム、レンズ、及び反射面のうちの１つ以上を含む。
【００１９】
いくつかの実施形態では、光方向転換側面６０は、図２により明確に示すように、取り付け領域４０内に受け入れられ固定された光導波路５０から受光される光７０の方向を、第１の方向（ｘ軸）から実質的に垂直な第２の方向（ｚ軸）に変化させるように構成される。一部の他の態様では、光方向転換側面６０は、取り付け領域４０内に受け入れられ固定された光導波路５０から受光される光７０の方向を主に内部全反射（ＴＩＲ）によって変化させるように構成される。いくつかの実施形態では、光方向転換側面（light redirection side）６０内の光方向転換要素６５は、例えば反射性コーティングを含んでもよく、又は別の方法で反射性にされてもよい。
【００２０】
図１及び図２に示すように、ハウジング１０は、弾性部材２０を含む。いくつかの実施形態では、弾性部材は、第１の方向９０に沿って延び、ハウジング１０に取り付けられた第１の結合端部２２、及び光フェルール３０と接触するための反対側の第２の結合端部２３に取り付けられる。本開示の一部の態様では、光導波路５０が取り付け領域４０のいずれかに受け入れられて固定され、光導波路５０からの光７０が光路８０に沿って伝播するときに、弾性部材２０は、光路８０内にない。更に、光コネクタ２００が、光嵌合コネクタに取り付けられた光嵌合フェルール３１０を含む光嵌合コネクタ３００と嵌合し、光フェルール３０が、嵌合光フェルール３１０と嵌合すると、弾性部材２０は、弾性的に変形されて、光フェルール３０を嵌合光フェルール３１０に対して弾性的に押し付ける。いくつかの実施形態では、光フェルール３０が、嵌合光フェルール３１０と嵌合すると、弾性部材２０は、第１の方向９０に沿って弾性的に変形される。
【００２１】
いくつかの実施形態では、弾性部材２０は、ばねを含む。いくつかの他の実施形態では、弾性部材は、ゴム、又は磁気要素、又は静電要素などの伸縮性材料であってもよい。いくつかの実施形態では、弾性的に変形された弾性部材は、光フェルール３０の上部主面３１と接触し、力を付与する。一部の態様では、光フェルール３０は、嵌合端部３２及び対向している後端部３３を含む。弾性的に変形された弾性部材２０は、光フェルールの光方向転換側面６０と嵌合端部３２との間に配設された光フェルールの領域３４と接触し、力を付与する。
【００２２】
弾性的に変形された弾性部材２０は、光フェルール３０の嵌合方向９１と斜角（α）をなす第１の方向９０に沿って、光フェルール３０に弾性力を付与する。フェルールの嵌合方向９１とは、嵌合フェルールと嵌合するためにフェルールがそれに沿って移動するように適合されている方向を指す。図２に示すデカルト座標系によれば、嵌合方向９１はｘ軸方向に延びる。いくつかの実施形態では、光フェルール３０の嵌合方向との斜角（α）は、約２０度〜約７０度であってもよい。いくつかの他の実施形態では、斜角（α）は、約３０度〜約６０度、又は５０度〜６５度であってもよい。
【００２３】
他の態様では、各取り付け領域４０は、第１の方向（ｘ軸）に沿って延び、弾性的に変形された弾性部材２０は、第１の方向と斜角（α）をなす第２の方向９０に沿って、光フェルール３０に弾性力を付与するように構成される。いくつかの実施形態では、第１の方向（ｘ軸）との斜角（α）は、約２０度〜約７０度であってもよい。いくつかの他の実施形態では、斜角（α）は、約３０度〜約６０度、又は５０度〜６５度であってもよい。
【００２４】
いくつかの実施形態では、フェルールは、２つ以上の嵌合方向を有してもよい。例えば、いくつかの実施形態では、フェルールは、嵌合フェルールと嵌合するために、嵌合フェルールに対して、第１の嵌合方向に沿って、又は直交する第２の嵌合方向に沿って、あるいは第１の嵌合方向と第２の嵌合方向とのベクトル和に沿って移動するように適合してもよい。
【００２５】
いくつかの実施形態では、弾性力の少なくとも３０％は嵌合方向９１に沿っており、弾性力の少なくとも３０％は嵌合方向に直交する方向に沿っている。いくつかの実施形態では、例えば、１２ファイバフェルール内の嵌合方向９１に沿った弾性力は、約０．４〜０．６Ｎ（又は５０グラムの力）、又は０．４５〜０．５５Ｎであってもよい。弾性力は、フェルール内のファイバの数にほぼ比例し得る。
【００２６】
いくつかの実施形態では、光フェルールは、光フェルールと嵌合光フェルールとが嵌合するときに、２つのフェルールを誘導して、又はそれらの誘導を補助して整列させる１つ以上の可撓性アームを含んでもよい。いくつかの実施形態では、第１のアームと第２のアームとは、同じ屈曲特性（例えば、同じ引張応力及び同じ幾何学的形状）を有してもよい。図３で最も良くわかるように、本開示の一態様によれば、弾性的に変形された弾性部材１２０は、光フェルール１３０の第１のアーム３５と接触し、力を付与する。第１のアーム３５は、光フェルール１３０の第１の側面１３１に一体に形成され、光フェルール１３０の第１の側面１３１から光フェルール１３０の第１の側面１３１及び嵌合方向（ｘ軸）に実質的に垂直な方向（ｙ軸）に延びる。
【００２７】
他の実施形態では、光フェルール１３０は、光フェルールの対向しているそれぞれの第１の側面１３１及び第２の側面１３２と一体に形成され、光フェルールの対向しているそれぞれの第１の側面１３１及び第２の側面１３２から、光フェルールのそれぞれの第１の側面及び第２の側面並びに嵌合方向（ｘ軸）に実質的に垂直な方向（ｙ軸）に延びる、対向している第１のアーム３５及び第２のアーム３６を含む。
【００２８】
いくつかの実施形態では、光コネクタ２００は、第１のアーム３５に接触する一対の第１の弾性部材１２０と、第２のアーム３６に接触する一対の第２の弾性部材１２１と、を含む。光コネクタ２００が、光嵌合コネクタに取り付けられた嵌合光フェルール３１０を有する光嵌合コネクタ３００と嵌合し、光フェルールが、嵌合光フェルールと嵌合すると、少なくとも１つの第１の弾性部材１２０及び少なくとも１つの第２の弾性部材１２１は弾性的に変形されて、光フェルール１３０を嵌合光フェルール３１０に対して弾性的に押し付ける。一部の他の態様では、光フェルール３０が、嵌合光フェルール３１０と嵌合すると、少なくとも１つの第１の弾性部材１２０及び少なくとも１つの第２の弾性部材１２１は、弾性的に変形されて、第１の方向９０に沿って、光フェルール１３０を嵌合光フェルール３１０に対して付勢する弾性力を生成する。
【００２９】
一部の態様では、第１及び第２の弾性部材２０の対のうちの１つ以上は、ばねを含む。いくつかの他の実施形態では、第１及び第２の弾性部材の対のうちの１つ以上は、ゴム、又は磁気要素、又は静電要素などの伸縮性材料であってもよい。
【００３０】
一部の態様では、第１及び第２のアームのそれぞれは、図４Ａに示すような円形の断面を有してもよい。他の態様では、第１及び第２のアームのそれぞれは、図４Ｂに示すような楕円形の断面を有してもよい。一部の他の態様では、第１及び第２のアームのそれぞれは、図４Ｃに示すような台形の断面を有してもよい。第１及び第２のアームの様々な他の形状もまた、本開示の範囲内である。弾性部材は、アームの片側又は両側でアームと接触して、光フェルールを嵌合光フェルールと嵌合するために所望される順方向及び垂直方向の力を提供することができる。
【００３１】
一部の態様では、第１の弾性部材１２０は、第１のアーム３５の両側に接触し、第２の弾性部材１２１は、第２のアーム３６の両側に接触する。他の態様では、第１及び第２の弾性部材１２０、１２１のそれぞれについて、弾性部材の片方の端部がフェルール１３０のそれぞれのアームと接触し、弾性部材の反対側の端部が光コネクタのハウジング３３０と接触する。
【００３２】
一部の態様では、弾性的に変形された弾性部材１２０、１２１は、光フェルール１３０の嵌合方向１９１と斜角（β）をなす第１の方向１９０に沿って、光フェルール１３０に弾性力を付与する。いくつかの実施形態では、嵌合方向１９１との斜角（β）は、約２０度〜約７０度であってもよい。いくつかの他の実施形態では、斜角（β）は、約３０度〜約６０度、又は５０度〜６５度であってもよい。一部の態様では、弾性力の少なくとも３０％は嵌合方向１９１に沿っており、弾性力の少なくとも３０％は嵌合方向に直交する方向に沿っている。一部の態様では、例えば、１２ファイバフェルール内の嵌合方向１９１に沿った弾性力は、約０．４〜０．６Ｎ（又は５０グラムの力）、又は０．４５〜０．５５Ｎであってもよい。弾性力は、フェルール内のファイバの数にほぼ比例し得る。
【００３３】
図２により明確に示すように、本開示の他の実施形態では、光コネクタ２００は、弾性部材２０及び光フェルール３０を含む。光フェルール３０は、図１に見られるように、光導波路５０を受け入れ固定する取り付け領域４０を含む。光フェルール３０は、本開示の他の箇所に記載されるように、取り付け領域４０内に受け入れられ固定された光導波路５０から受光される光７０の方向を変化させる光方向転換側面６０を含み、光７０は、弾性部材２０と交差しない光路８０に沿って伝播する。光フェルール３０が嵌合方向９１に沿って光嵌合フェルール３１０と嵌合すると、弾性部材２０は、弾性的に変形されて、嵌合方向９１と斜角（α）をなす第１の方向９０に沿って、光フェルール３０を嵌合光フェルール３１０に対して付勢する弾性力２１を生成する。一部の態様では、弾性部材２０は、第２の方向９０に沿って延びてもよい。光フェルール３０が嵌合光フェルール３１０と嵌合すると、弾性部材２０は、第２の方向９０に沿って弾性的に変形されてもよい。
【００３４】
他の態様では、光方向転換側面は、取り付け領域４０内に受け入れられ固定された光導波路５０から受光される光の方向を、第２の方向（ｘ軸）から実質的に垂直な第３の方向（ｚ軸）に変化させるように構成される。第２の方向（ｘ軸）は、嵌合方向９１に実質的に平行であってもよい。いくつかの実施形態では、取り付け領域は、第１の方向９０と斜角（α）をなす第２の方向（ｘ軸）に沿って延びる。
【００３５】
一部の態様では、斜角（α）は、約２０度〜約７０度であってもよい。いくつかの他の実施形態では、斜角（α）は、約３０度〜約６０度、又は５０度〜６５度であってもよい。
【００３６】
一部の態様では、弾性部材２０は、ばねを含んでもよい。いくつかの他の実施形態では、弾性部材２０は、ゴム、又は磁気要素、又は静電要素などの伸縮性材料であってもよい。いくつかの実施形態では、弾性的に変形された弾性部材は、光フェルール３０の上部主面３１と接触し、力を付与する。一部の態様では、光フェルール３０は、嵌合端部３２及び対向している後端部３３を含む。弾性的に変形された弾性部材２０は、光フェルールの光方向転換側面６０と嵌合端部３２との間に配設された光フェルールの領域３４と接触し、力を付与する。
【００３７】
一部の態様では、光方向転換側面は、取り付け領域４０内に受け入れられ固定された光導波路５０から受光される光の方向を少なくとも４５度、又は少なくとも６０度変化させるように構成される。一部の態様では、光方向転換側面６０は、取り付け領域４０内に受け入れられ固定された光導波路５０から受光される光７０の方向を主に内部全反射（ＴＩＲ）によって変化させるように構成される。いくつかの実施形態では、光方向転換側面６０内の光方向転換要素６５は、例えば反射性コーティングを含んでもよく、又は別の方法で反射性にされてもよい。
【００３８】
他の実施形態では、光フェルール１３０は、光フェルールの対向しているそれぞれの第１の側面１３１及び第２の側面１３２と一体に形成され、光フェルールの対向しているそれぞれの第１の側面１３１及び第２の側面１３２から、光フェルールのそれぞれの第１の側面及び第２の側面並びに嵌合方向（ｘ軸）に実質的に垂直な方向（ｙ軸）に延びる、対向している第１のアーム３５及び第２のアーム３６を含む。光コネクタ２００は、第１のアーム３５に接触する一対の第１の弾性部材１２０と、第２のアーム３６に接触する一対の第２の弾性部材１２１と、を含む。光コネクタ２００が、光嵌合コネクタに取り付けられた嵌合光フェルール３１０を含む光嵌合コネクタ３００と嵌合し、光フェルールが、嵌合光フェルールと嵌合すると、少なくとも１つの第１の弾性部材１２０及び少なくとも１つの第２の弾性部材１２１は、弾性的に変形されて、第１の方向に沿って、光フェルール１３０を嵌合光フェルール３１０に対して付勢する弾性力を生成する。
【００３９】
図中の要素の説明は、別段の指示がない限り、他の図中の対応する要素に等しく適用されるものと理解されたい。具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその均等物によってのみ限定されるものとする。
【図１】
2020166267.tif 000003
【図２】
2020166267.tif 000004
【図３】
2020166267.tif 000005
【図４Ａ】
2020166267.tif 000006
【図４Ｂ】
2020166267.tif 000007
【図４Ｃ】
2020166267.tif 000008
【外国語明細書】
2020166267000001.pdf